【手続補正書】
【提出日】令和3年2月12日(2021.2.12)
【手続補正１】
【補正対象書類名】明細書
【補正対象項目名】０００６
【補正方法】変更
【補正の内容】
【０００６】
本発明に係る電子辞書は、
プロセッサを備え、前記プロセッサは、ユーザによる第１操作に応じて、ユーザにより指定された単語に関する情報を辞書データから検索し、前記検索した単語に関する情報をディスプレイに表示させ、前記検索した単語に関する情報が表示された状態での前記ユーザによる第２操作に応じて、前記指定された単語に関する前記第２操作に応じた処理を実行し、前記第１操作の内容または前記第２操作の内容に応じて、前記指定された単語に対する前記ユーザにとっての、所定の学習の必要性、学習の必要度合い、必要な学習の種類のうちの少なくとも１つを判定する、ように構成されている。
【手続補正２】
【補正対象書類名】特許請求の範囲
【補正対象項目名】全文
【補正方法】変更
【補正の内容】
【特許請求の範囲】
【請求項１】
プロセッサを備え、
前記プロセッサは、
ユーザによる第１操作に応じて、ユーザにより指定された単語に関する情報を辞書データから検索し、
前記検索した単語に関する情報をディスプレイに表示させ、
前記検索した単語に関する情報が表示された状態での前記ユーザによる第２操作に応じて、前記指定された単語に関する前記第２操作に応じた処理を実行し、
前記第１操作の内容または前記第２操作の内容に応じて、前記指定された単語に対する前記ユーザにとっての、所定の学習の必要性、学習の必要度合い、必要な学習の種類のうちの少なくとも１つを判定する、
ように構成されている電子辞書。
【請求項２】
前記プロセッサは、前記第１操作の内容と前記第２操作の内容との組み合わせに応じて、前記指定された単語に対する前記ユーザにとっての、所定の学習の必要性、学習の必要度合い、必要な学習の種類のうちの少なくとも１つを判定する、請求項１に記載の電子辞書。
【請求項３】
前記プロセッサは、前記辞書データに記憶されている複数の単語それぞれに対して判定された前記学習の必要度合いに基づいて、前記複数の単語の中から学習対象となる単語を選択し、選択された単語の学習を実行する、請求項１または２に記載の電子辞書。
【請求項４】
前記プロセッサは、前記辞書データに記憶されている複数の単語それぞれに対して判定された前記必要な学習の種類に基づいて、複数の学習の種類それぞれに対して学習を実行すべき単語を選択し、前記複数の学習の種類それぞれに対して選択された単語の学習を実行する、請求項１乃至３のいずれか一項に記載の電子辞書。
【請求項５】
前記第１操作は、検索対象となる単語を指定するとともに検索の実行を指示する操作であり、
前記第１操作の内容は、検索対象となる単語を指定するとともに検索の実行を指示するための種類の異なる複数の検索操作のうちの何れかの種類の検索操作が行われたかを示す内容であり、
前記プロセッサは、前記第１操作を含む操作の内容に応じて、前記指定された単語に対する前記ユーザにとっての、所定の学習の必要性、学習の必要度合い、必要な学習の種類のうちの少なくとも１つを判定する、
請求項１乃至３のいずれか一項に記載の電子辞書。
【請求項６】
前記第１操作の内容は、指定された単語に対して過去に実行された検索の回数である、
請求項５に記載の電子辞書。
【請求項７】
前記第２操作は、実行すべき処理を指定するとともに当該処理の実行を指示する操作であり、
前記第２操作の内容は、当該第２操作により指定される処理の種類または当該処理の実行により出力された情報の出力状況を示す内容であり、
前記プロセッサは、前記第２操作を含む操作の内容に応じて、前記指定された単語に対する前記ユーザにとっての、所定の学習の必要性、学習の必要度合い、必要な学習の種類のうちの少なくとも１つを判定する、
請求項１乃至６のいずれか一項に記載の電子辞書。
【請求項８】
前記プロセッサは、前記第１操作の内容と前記第２操作の内容との組み合わせに応じて、前記指定された単語に対する前記ユーザにとっての、複数の学習の種類それぞれに対する学習の必要度合いを判定する、
請求項１乃至７のいずれか一項に記載の電子辞書。
【請求項９】
前記単語に関する情報は、前記指定された単語の語義であり、
前記第２操作により指定される処理の種類は、単語帳登録、マーカ色塗、音声再生、用例／成句表示、のうちの何れかである、
請求項１乃至８のいずれか一項に記載の電子辞書。
【請求項１０】
前記第２操作の内容である情報の出力状況は、当該情報の出力時間、出力位置、のうちの何れかである、
請求項９に記載の電子辞書。
【請求項１１】
前記プロセッサは、
前記第２操作として予め決められた処理の種類を指定する操作が行われた場合に、当該処理の種類に基づいて、前記指定された単語に対する前記ユーザにとっての、所定の学習の必要性、学習の必要度合い、必要な学習の種類のうちの少なくとも１つを判定する、
請求項１乃至１０のいずれか一項に記載の電子辞書。
【請求項１２】
前記所定の学習の必要性、学習の必要度合い、必要な学習の種類を判定するための前記第２操作により指定される処理の種類は、学習の種類毎に予め決められている、
請求項１１に記載の電子辞書。
【請求項１３】
前記プロセッサは、
前記第２操作として、
単語帳登録または用例／成句表示を指定する操作が行われた場合に、前記指定された単語に対する語義または文法の学習が必要であると判定し、
音声再生を指定する操作が行われた場合に、前記指定された単語に対する発音の学習が必要であると判定する、
ように構成されている請求項１２に記載の電子辞書。
【請求項１４】
前記プロセッサは、
前記辞書データから検索した各単語の検索履歴に付加されている前記第１操作および第２操作の内容と、各学習の種類に対応する重み値とに基づいて、前記指定された単語に対する前記ユーザにとっての、各学習の種類に対応した必要度合いを算出する、
ように構成されている請求項１２または１３に記載の電子辞書。
【請求項１５】
前記プロセッサは、
前記指定された単語と、前記第１操作または第２操作の内容を示す属性情報とを、当該単語の検索履歴としてストレージに記憶させ、
前記検索履歴に基づく学習が指示された場合に、前記ストレージに記憶されている複数の単語の検索履歴の中で、指定された属性情報が付加されている単語を所定の学習の必要性があると判定し、前記判定された単語を学習対象として選択し、
前記選択した単語について前記所定の学習に係る学習処理を実行する、
ように構成されている請求項１乃至１４のいずれか一項に記載の電子辞書。
【請求項１６】
前記プロセッサは、
前記第１操作または第２操作の内容を示す複数の属性情報のうちのいずれかの属性情報の指定とともに前記検索履歴に基づく学習が指示された場合に、当該指定された属性情報に基づいて、前記指定された単語に対する前記ユーザにとっての、所定の学習の必要性、学習の必要度合い、必要な学習の種類のうちの少なくとも１つを判定し、
前記選択した単語について前記判定した所定の学習の必要性または所定の学習の必要度合いまたは必要な学習の種類に応じた学習の種類の学習処理を実行する、
ように構成されている請求項１５に記載の電子辞書。
【請求項１７】
前記プロセッサは、
学習の種類の指定とともに前記検索履歴に基づく学習が指示された場合に、当該指定された学習の種類に基づいて属性情報を指定し、当該指定された属性情報が付加されている単語を、前記指定された学習の種類に対応した学習の必要性があると判定し、前記判定された単語を学習対象として選択する、
ように構成されている請求項１５または１６に記載の電子辞書。
【請求項１８】
電子機器のプロセッサにより、
ユーザによる第１操作に応じて、ユーザにより指定された単語に関する情報を辞書データから検索し、
前記検索した単語に関する情報をディスプレイに表示させ、
前記検索した単語に関する情報が表示された状態での前記ユーザによる第２操作に応じて、前記指定された単語に関する前記第２操作に応じた処理を実行し、
前記第１操作の内容または前記第２操作の内容に応じて、前記指定された単語に対する前記ユーザにとっての、所定の学習の必要性、学習の必要度合い、必要な学習の種類のうちの少なくとも１つを判定する、
ようにした学習単語判定方法。
【請求項１９】
電子機器のプロセッサを
ユーザによる第１操作に応じて、ユーザにより指定された単語に関する情報を辞書データから検索し、
前記検索した単語に関する情報をディスプレイに表示させ、
前記検索した単語に関する情報が表示された状態での前記ユーザによる第２操作に応じて、前記指定された単語に関する前記第２操作に応じた処理を実行し、
前記第１操作の内容または前記第２操作の内容に応じて、前記指定された単語に対する前記ユーザにとっての、所定の学習の必要性、学習の必要度合い、必要な学習の種類のうちの少なくとも１つを判定する、
ように機能させるためのプログラム。